【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
放射線を照射する照射部と、
前記照射部を位置決めする位置決め部と、
前記照射部および前記位置決め部を搭載して移動する台車部と、を有する放射線画像撮影装置であって、
前記照射部の下方に表示部を保持し、前記台車部に対して当該表示部をスライド移動する移動手段を有することを特徴とする放射線画像撮影装置。
【請求項２】
前記移動手段の移動量を検知する移動検知手段と、
前記表示部の表示を制御する制御手段と、
を更に備え、
前記制御手段は、前記移動検知手段の検知結果を用いて前記表示部の移動位置を取得し、当該移動位置に応じて前記表示部の表示を制御することを特徴とする請求項１に記載の放射線画像撮影装置。
【請求項３】
前記表示部の移動位置と、前記表示部の表示に使用する表示領域と、を対応付けたテーブルを参照して、前記制御手段は前記表示部の表示を制御することを特徴とする請求項２に記載の放射線画像撮影装置。
【請求項４】
前記制御手段は、前記表示部の表示領域の位置と表示サイズとを、前記表示部の移動位置に応じて変更することを特徴とする請求項２または３に記載の放射線画像撮影装置。
【請求項５】
前記台車部に対する前記照射部の相対的な位置を検知する相対位置検知手段を更に備え、
前記制御手段は、前記相対位置検知手段の検知結果と、前記移動検知手段の検知結果とを用いて、前記照射部に対する前記表示部の相対位置を取得し、当該相対位置に応じて前記表示部の表示を制御することを特徴とする請求項２乃至４のいずれか１項に記載の放射線画像撮影装置。
【請求項６】
前記照射部に対する前記表示部の相対位置と、前記表示部の表示に使用する表示領域と、を対応付けたテーブルを参照して、前記制御手段は前記表示部の表示を制御することを特徴とする請求項５に記載の放射線画像撮影装置。
【請求項７】
前記制御手段は、前記表示部の表示領域の位置と表示サイズとを、前記相対位置に応じて変更することを特徴とする請求項５または６に記載の放射線画像撮影装置。
【請求項８】
前記台車部の移動の際に、前記位置決め部によって前記照射部が収納位置に収納されていることを検知する収納状態検知手段を更に備え、
前記照射部が収納位置に収納されていることが検知された場合、前記制御手段は前記表示部の部分表示領域に表示内容を表示するように制御することを特徴とする請求項２乃至７のいずれか１項に記載の放射線画像撮影装置。
【請求項９】
前記照射部が収納位置に収納されていることが検知された場合、前記制御手段は、前記台車部の上面の内側から外側に向けて前記表示部をスライド移動させるように前記移動手段を制御することを特徴とする請求項８に記載の放射線画像撮影装置。
【請求項１０】
前記照射部が収納位置に収納されていることが検知された場合、前記制御手段は前記移動手段のブレーキを解除することを特徴とする請求項８に記載の放射線画像撮影装置。
【請求項１１】
前記収納状態検知手段により前記照射部が収納位置に収納されていることが検知されない場合、前記制御手段は前記表示部の表示領域の全面に表示内容を表示するように制御することを特徴とする請求項８に記載の放射線画像撮影装置。
【請求項１２】
前記収納状態検知手段により前記照射部が収納位置に収納されていることが検知されない場合、前記制御手段は前記台車部の上面の外側から内側に向けて前記表示部をスライド移動させるように前記移動手段を制御することを特徴とする請求項８または１１に記載の放射線画像撮影装置。
【請求項１３】
被検者の位置情報を用いて、当該被検者に対して前記台車部が所定の位置に近づいたことを検知する位置検知手段を更に備え、
前記制御手段は、前記位置検知手段の検知結果により前記表示部の表示内容を切り替えることを特徴とする請求項２乃至１２のいずれか１項に記載の放射線画像撮影装置。
【請求項１４】
前記照射部が収納位置に収納された際に前記照射部の少なくとも一部を覆う防護壁を更に有することを特徴とする請求項１乃至１３のいずれか１項に記載の放射線画像撮影装置。
【請求項１５】
前記照射部に固定された他の表示部を更に有することを特徴とする請求項１乃至１４のいずれか１項に記載の放射線画像撮影装置。
【請求項１６】
前記位置決め部は、
第一の方向に伸縮し、前記台車部に結合された支柱と、
一端側に前記照射部が結合され、他端側で前記支柱の延在する方向に対して移動可能に支持され、前記第一の方向に対して交差する第二の方向に伸縮可能なアーム部と、
を有することを特徴とする請求項１乃至１５のいずれか１項に記載の放射線画像撮影装置。
【請求項１７】
放射線を照射する照射部と、前記照射部を位置決めする位置決め部と、前記照射部および前記位置決め部を搭載して移動する台車部と、前記照射部の下方に表示部を保持し前記台車部に対して当該表示部をスライド移動する移動手段を有する放射線画像撮影装置の制御方法であって、
前記位置決め部と前記移動手段の状態とに基づいて、照射部および表示部の相対的な位置関係を取得する取得工程と、
前記位置関係に基づいて、前記表示部の表示に使用する表示領域を特定する特定工程と、
前記特定された表示領域に放射線撮影に関する情報を表示させる表示制御工程と、
を有することを特徴とする放射線画像撮影装置の制御方法。
【請求項１８】
放射線を照射する照射部と、
前記照射部を位置決めする位置決め部と、
前記照射部および前記位置決め部を搭載して移動する台車部と、を有する放射線画像撮影装置であって、
前記照射部の下方に表示部を保持し、当該表示部をスライド移動する移動手段と、
前記表示部の位置を検出する検出手段と、
前記表示部の表示を制御する制御手段と、を備え、
前記制御手段は、前記検出された位置を取得し、当該位置に応じて前記表示部の表示を制御することを特徴とする放射線画像撮影装置。
【請求項１９】
放射線を照射する照射部と、前記照射部を位置決めする位置決め部と、前記照射部および前記位置決め部を搭載して移動する台車部と、を有する放射線画像撮影装置の制御方法であって、
前記照射部の下方に表示部を保持し、当該表示部をスライド移動する移動工程と、
前記表示部の位置を検出する検出工程と、
前記表示部の表示を制御する制御工程と、を有し、
前記制御工程は、前記検出された位置を取得し、当該位置に応じて前記表示部の表示を制御することを特徴とする放射線画像撮影装置の制御方法。
【請求項２０】
放射線を照射する照射部と、
前記照射部を位置決めする位置決め部と、
前記照射部および前記位置決め部を搭載して移動する台車部と、
前記照射部の下方に表示部を保持し当該表示部をスライド移動する移動手段と、を有する放射線画像撮影装置であって、
前記位置決め部と前記移動手段の状態とに基づいて、照射部および表示部の相対的な位置関係を取得する取得手段と、
前記位置関係に基づいて、前記表示部の表示に使用する表示領域を特定する特定手段と、
前記特定された表示領域に放射線撮影に関する情報を表示させる表示制御手段と、
を備えることを特徴とする放射線画像撮影装置。
【請求項２１】
放射線を照射する照射部と、前記照射部を位置決めする位置決め部と、前記照射部および前記位置決め部を搭載して移動する台車部と、前記照射部の下方に表示部を保持し当該表示部をスライド移動する移動手段と、を有する放射線画像撮影装置の制御方法であって、
前記位置決め部と前記移動手段の状態とに基づいて、照射部および表示部の相対的な位置関係を取得する取得工程と、
前記位置関係に基づいて、前記表示部の表示に使用する表示領域を特定する特定工程と、
前記特定された表示領域に放射線撮影に関する情報を表示させる表示制御工程と、
を有することを特徴とする放射線画像撮影装置の制御方法。